(57)【要約】      （修正有）【課題】型枠用支持部材固定手段の固定具およびこの固定具を用いて構成されたコンクリート打設用型枠を提供する。【解決手段】コンクリート打設用型枠の固定に用いられる型枠用支持部材固定手段の固定具であって、前記コンクリート打設用型枠の外面に固着される基部２ａと、この基部に外方へ向けて同軸状に連設され前記型枠用支持部材固定手段が螺着される連結部２ｂとを備えている構成となっている。【選択図】図２
0003223743.tif 000002
【実用新案登録請求の範囲】
【請求項１】
コンクリート打設用型枠の固定に用いられるホームタイの固定具であって、前記コンクリート打設用型枠の外面に固着される基部と、この基部に外方へ向けて同軸状に連設され前記ホームタイが螺着される連結部とを備えていることを特徴とするホームタイの固定具。
【請求項２】
前記基部が、先端形状が鋭利となされたビス形状となされていることを特徴とする請求項１に記載のホームタイの固定具。
【請求項３】
前記連結部の外方端面に、非真円形状の凹部が形成されていることを特徴とする請求項１または請求項２に記載のホームタイの固定具。
【請求項４】
複数の型枠構成体を並列状に付き合わせて構成されるコンクリート打設用型枠であって、前記型枠構成体の外面に、請求項１ないし請求項３の何れかに記載の固定具を固着し、前記複数の型枠構成体の全てを跨ぐように押圧部材を配置し、この押圧部材を、前記固定具に螺着されるホームタイによって前記複数の型枠構成体に圧接させることにより、これらの型枠構成体を一体化してなることを特徴とするコンクリート打設用型枠。
【考案の詳細な説明】
【技術分野】
【０００１】
本考案は、コンクリート打設用型枠を組み上げる際に用いられるホームタイを前記コンクリート打設用型枠に装着するための固定具およびこの固定具を用いて構成されたコンクリート打設用型枠に関する。
【背景技術】
【０００２】
一般に、コンクリートを打設する際には、複数の型枠によってコンクリートの打設空間を形成し、この打設空間内にコンクリートを打設する。
【０００３】
ところで、前述したように型枠内にコンクリートを打設する際には、コンクリート製品の寸法精度を確保するために、複数の型枠間の位置関係を保持する必要があり、また、コンクリートの重量や打設時の圧力によって、型枠が膨らんでしまうことを防止する必要がある。
【０００４】
このような要望に対処すべく従来では、たとえば、特許文献１に示される技術が用いられている。
【０００５】
この技術は、コンクリート製の壁を形成する例について示したもので、対向する一対の型枠間にスペーサーを介装して、両型枠間の距離を形成すべき壁の厚み保持するようにしている。
【０００６】
また、前記スペーサーの両端部を、それぞれの型枠を貫通させて外部へ突出させておくとともに、それぞれの型枠の外面に鋼管等からなる支持部材を配置し、この支持部材を、前記スペーサーの突出端に取り付けられるホームタイによってそれぞれの型枠の外面に圧接させるようにしている。
【０００７】
そして、前記支持部材により、両型枠間に打設されるコンクリートの重量や、このコンクリートの打設時の圧力を支持して、両型枠の膨らみを防止するようにしている。
【先行技術文献】
【特許文献】
【０００８】
【特許文献１】特開２０１１−６５８１４号公報
【考案の概要】
【考案が解決しようとする課題】
【０００９】
ところで、コンクリートの打設後は前記型枠を取り外さなければならない。
この脱型作業は、ホームタイをセパレーターから取り外した後に、支持部材を取り除き、ついで、型枠を打設された壁から取り外す手順で行なわれる。
【００１０】
一方、打設する壁面積が広い場合、その壁面積を確保するために、前記型枠を複数の型枠構成体に分割しておき、これらの型枠構成体を並列的に付き合わせて大きな型枠を構成することが行なわれている。
【００１１】
このように、複数の型枠構成体を用いて型枠を構成した場合、型枠を組み上げる際においては、型枠構成体を個々にセパレーターによって連結した後に前記支持部材やホームタイによって固定する作業が必要となる。
【００１２】
また、解体時には、支持部材やホームタイを取り外した状態において、複数の型枠構成体の連結状態が解除されることにより、個々に取り外すこととなる。
すなわち、脱型時には、型枠が型枠構成体単位でバラバラの状態となされる。
【００１３】
したがって、型枠を組み上げる際には、その施工現場に複数の型枠構成体を搬入し、これらの型枠構成体を一つ一つ組み上げ、かつ、脱型時には、型枠構成体を一つ一つ脱型して搬出するという作業を行なわなければならない。
【００１４】
このような作業は組み立てや脱型に要する時間を長引かせるばかりでなく、その搬入や搬出に要する時間も長くなり、したがって、施工期間の長期化を招いてしまう。
【００１５】
特に、打設する壁面積が広い場合、使用する型枠構成体の数が増えることから、この型枠構成体を分けて搬入や搬出を行なわなければならず、前述した不具合が助長される。
【００１６】
本考案は、前述した従来の問題点に鑑みてなされたもので、複数の型枠構成体を用いて構成された型枠を、少なくとも型枠を脱型する際に、型枠構成体を個々に切り離すことなく一体化した状態で取り扱うことを可能にするホームタイの固定具およびこの固定具を用いて構成されたコンクリート打設用型枠を提供することを解決すべき課題とする。
【課題を解決するための手段】
【００１７】
本考案のホームタイの固定具は、前述した課題を解決するために、コンクリート打設用型枠の固定に用いられるホームタイの固定具であって、前記コンクリート打設用型枠の外面に固着される基部と、この基部に外方へ向けて同軸状に連設され前記ホームタイが螺着される連結部とを備えていることを特徴としている。
【００１８】
前記固定具はその基部により型枠外面に固定される。
前記ホームタイは、固定具の連結部に螺着されることにより、この固定具を介して型枠に固定される。
【００１９】
そして、前記型枠外面に変形防止用の支持部材を、前記ホームタイによって圧接させる際に、ホームタイが固定具を介して型枠に固定されていることから、この支持部材も型枠に固定される。
【００２０】
ここで、前記型枠を複数の型枠構成体によって構成した場合、これらの型枠構成体のそれぞれに固定具を介してホームタイを固定しておくことにより、これらの型枠構成体を跨いで配置される支持部材を、全ての型枠構成体に圧接させた状態で固定することができる。
【００２１】
したがって、複数の型枠構成体を、支持部材を介して一体化して全体として型枠を構成した状態に保持することができる。
【００２２】
そして、前記固定具は、型枠の間隔を保持するためのスペーサーから独立して型枠に取り付けられる。
【００２３】
したがって、型枠の組み立てに際して、複数の型枠構成体を、固定具、ホームタイ、および、支持部材によって連結固定することにより、大きな型枠を予め製作しておき、この型枠の複数を施工現場に搬入した後に、スペーサーを用いて組み上げることができる。
【００２４】
また、型枠の脱型時には、型枠をスペーサーから切り離すことにより、型枠の大きな形状を維持した状態で脱型するとともに、搬出することができる。
【００２５】
このように、複数の型枠構成体を用いて型枠を構成した場合に、複数の型枠構成体を型枠の形状に一体化した状態で取り扱うことができる。
これによって、複数の型枠構成体をバラバラにすることなく搬入搬出を行なうことができるとともに、複数の型枠構成体を一括して取り扱うことができるので、施工期間を大幅に短縮することができる。
【００２６】
そして、前記基部を、先端形状が鋭利となされたビス形状とすることにより、型枠へねじ込むようにして固定することができ、固定作業を簡便なものとすることができる。
【００２７】
また、前記連結部の外方端面に、非真円形状の凹部、たとえば、６画穴を形成しておくこともできる。
このような構成とすることにより、前記凹部に治具を嵌合させて固定具を軸線周りに回動させることができ、固定具の脱着を容易にすることができる。
【考案の効果】
【００２８】
本考案のホームタイの固定具によれば、複数の型枠構成体を用いて構成された型枠を、少なくとも型枠を脱型する際に、型枠構成体を個々に切り離すことなく一体化した状態で取り扱うことを可能にする。
【図面の簡単な説明】
【００２９】
【図１】本考案の一実施形態が適用された型枠構成体の正面図である。
【図２】本考案の一実施形態を示すもので、（ａ）は正面図、（ｂ）は（ａ）の右側面図である。
【図３】本考案の一実施形態が適用された型枠構成体の要部の縦断面図と、取り付けられるホームタイの分解図である。
【図４】本考案の一実施形態の固定具によって、複数の型枠構成体が連結された状態の一部を示す正面図である。
【図５】図４のV―V線断面図である。
【図６】本考案の一実施形態の固定具が用いられ、複数の型枠構成体が連結されて構成された型枠の一部を示す正面図である。
【図７】図６のVII―VII線断面図である。
【図８】本考案の一実施形態を示すもので、図７のように組み上げられた型枠内にコンクリートを打設した状態を示す要部の縦断面図である。
【図９】本考案の一実施形態を示すもので、型枠の脱型手順を示す要部の縦断面図である。
【図１０】本考案の一実施形態を示すもので、型枠の脱型手順を示す要部の縦断面図である。
【図１１】本考案の一実施形態を示すもので、組み上げられた型枠１を搬出入する状態を示す概略図である。
【考案を実施するための形態】
【００３０】
以下、本考案の一実施形態を、図面を参照して説明する。
本実施形態は、型枠１を複数の型枠構成体１ａによって構成する際に適用した例を示した。
【００３１】
本実施形態のホームタイの固定具は、図２（ａ）（ｂ）に符号２で示すように、型枠構成体１ａに固着される基部２ａと、この基部２ａに連設され後述するホームタイ３が螺着される連結部２ｂとによって構成されている。
【００３２】
前記基部２ａは、先端形状が鋭利となされたビス形状となされ、この基部２ａが型枠構成体１ａに螺着された際に、この型枠構成体１ａから突出させられる部分が前記連結部２ｂとなされている。
また、連結部２ｂの外方端面には、非真円形状の凹部、本実施形態では６角穴２ｃが形成されている。
【００３３】
一方、前記型枠構成体１ａは、長方形のパネルＰと、このパネルＰの表面の両長辺に沿って固着された桟木Ｑとによって構成され、前記パネルＰの幅方向中間部には、後述するセパレーターＳの支持シャフトＲが挿通される貫通孔４が長辺方向に間隔をおいて複数形成されている。
【００３４】
そして、前記それぞれの桟木Ｑの両端部近傍に、本実施形態の固定具２が、その基部２ａをねじ込むことによって固着されている。
【００３５】
この固定具２の固着は、前記連結部２ｂに形成されている６角穴２ｃに六角レンチを差し込んで回転させることによって行なわれる。
【００３６】
前記連結部２ｂに連結されるホームタイ３は、図３に示すように、固定具２の連結部２ｂに螺着され、複数の係止孔５が形成された支持ロッド３ａと、この支持ロッド３ａが挿通させられる貫通孔６を備えたクランプ３ｂと、支持ロッド３ａの係止孔５に係合させられて、支持ロッド３ａに嵌合させられたクランプ３ｂを固定具２側へ押圧して固定するロックピン３ｃとによって構成されている。
【００３７】
ついで、本実施形態の固定具２を用いて型枠１を組み上げる手順について、図３ないし図５を参照して説明する。
【００３８】
まず、図３に示すように、固定具２を、それぞれの型枠構成体１ａの桟木Ｑにねじ込んで固着し、この固定具２の連結部２ｂにホームタイ３の支持ロッド３ａを螺着しておく。
【００３９】
ついで、前記型枠構成体１ａのパネルＰの表面に、その長辺に沿うように鋼管等からなる押圧部材としての耐圧ロッドＴを配置する。
【００４０】
さらに、複数の型枠構成体１ａの桟木Ｑ、および、先に配置した耐圧ロッドＴを横切るように、型枠構成体１ａの短辺方向に沿って他の耐圧ロッドＴを、前記支持ロッド３ａの上下に間隔をおいて配置する。
【００４１】
これより、前記支持ロッド３ａにクランプ３ｂを嵌挿させて前記短辺方向の耐圧ロッドＴに当接させた後に、前記クランプ３ｂを貫通した支持ロッド３ａの端部において、この支持ロッド３ａに形成されている係止孔５にロックピン３ｃを差し込む。
【００４２】
このロックピン３ｃは、支持ロッド３ａを支持体としてクランプ３ｂを型枠構成体１ａ側へ押圧する。
これに伴い、図５に示すように、クランプ３ｃによって短辺方向に配置されている耐圧ロッドＴを長辺方向に配置されている耐圧ロッドＴに当接させるとともに、この長辺方向の耐圧ロッドＴを型枠構成体１ａのパネルＰの外面に圧接固定する。
【００４３】
この結果、前記複数の型枠構成体１ａが、短辺方向の耐圧ロッドＴ、ホームタイ３、および、固定具２によって同一面状で一体化されて、図４に示すように、型枠１に組み上げられる。
【００４４】
このように組み上げられた型枠１は、その一対を一組として、図６に示すように、それぞれのパネルＰどうしが向き合うように対向配置された後に、多数のセパレーターＳによって所定の間隔をおいて連結される。
【００４５】
ここで、前記セパレーターＳの支持シャフトＲの両端部は、型枠構成体１ａのパネルＰに形成されている貫通孔４を介して外面側に突出させられており、それぞれの端部にホームタイ３が装着されている。
【００４６】
そして、セパレーターＳに装着されたホームタイ３によって、図６および図７に示すように、短辺方向の耐圧ロッドＴが保持されるとともに、これらの耐圧ロッドＴが長辺方向に沿った耐圧ロッドＴをパネルＰの外面に圧接させる。
【００４７】
これによって、それぞれの型枠１において、複数の型枠構成体１ａが、長辺方向および短辺方向の耐圧ロッドＴによって強固に平面状に連結されて、両型枠１間に、図７に示すように、コンクリート打設空間Ｇが形成される。
【００４８】
この打設空間Ｇに、図８に示すようにコンクリートＣが打設されて、たとえば、壁が形成される。
なお、図７および図８において、符号Ｄは、前記コンクリート打設空間Ｇ内に配設された鉄筋を示す。
【００４９】
一方、前記型枠１の脱型は、前述した組み立て手順と逆の手順によって行なわれる。
【００５０】
まず、図９の右側に示すように、セパレーターＳに装着されているホームタイ３を、ロックピン３ｃ、クランプ３ｂ、支持ロッド３ａの順で取り外し、短辺方向の耐圧ロッドＴへの拘束力を解除するとともに、これらの耐圧ロッドＴを取り外す。
【００５１】
この作業により、型枠１は、図４および図５に示す状態と同様に、固定具２およびホームタイ３によって保持された長辺方向および短辺方向の耐圧ロッドＴによって全体としての形状が保持される。
また、型枠１は、打設されたコンクリートＣ内に残されているセパレーターＳから切り離されている。
【００５２】
これより、型枠１を、図１０の右側に示すように、打設されたコンクリートＣから取り外すことにより型枠１の脱型が行なわれる。
【００５３】
このよう脱型時において、前述したように、型枠１が、図４および図５に示す状態と同様に、固定具２およびホームタイ３によって保持された長辺方向および短辺方向の耐圧ロッドＴによって全体としての形状が保持されていることにより、型枠１毎に脱型が行なわれる。
【００５４】
したがって、型枠１を構成する複数の型枠構成体１ａをばらすことなく、型枠１の脱型作業、ならびに、搬出作業を行なうことができる。
【００５５】
このように、本考案の固定具２を用いて型枠１を形成すると、特に、型枠１を複数の型枠構成体１ａによって構成する場合、打設位置以外の場所で予め大型の型枠１に組み上げておき、この組み上げられた大型の型枠１を、図１１に示すように、クレーン等によって打設位置へ搬送して組み上げ、また、打設後にその形状を保持した状態で搬出することができる。
【００５６】
したがって、複数の型枠構成体１ａや耐圧ロッドＴを、型枠１の施工現場へ小分けして搬入する作業を少なくすることができる。
【００５７】
また、脱型時においては、型枠１を、型枠構成体１ａ毎にばらすことなく脱型および搬出を行なうことができる。
【００５８】
この結果、型枠１の組み立て作業や脱型作業を簡便なものとして、コンクリート成形物の施工期間を大幅に短縮することができる。
【００５９】
なお、前記実施形態において示した各構成部材等の諸形状や寸法等は一例であって、設計要求等に基づき種々変更可能である。
【００６０】
たとえば、前期実施形態においては、固定具２の連結部２ｂに６角穴２ｃを設けて、固定具２のねじ込みを行なわせる例について示したが、その形状は非真円形状の凹部であればよい。
【００６１】
また、凹部ではなく、連結２ｂの外面を多角形や非真円形状とすることも可能である。
【００６２】
前記実施形態においては、固定具２を型枠構成体１ａの長さ方向の両端部近傍に取り付ける例を示したが、図６に示すように、セパレーターＳ装着用の貫通孔４のそれぞれに対応するように取り付けることも可能である。
【符号の説明】
【００６３】
１  型枠
１ａ  型枠構成体
２  固定具
２ａ  基部
２ｂ  連結部
２ｃ  ６角穴（非真円形状凹部）
３  ホームタイ
３ａ  支持ロッド
３ｂ  クランプ
３ｃ  ロックピン
４  貫通孔
５  係止孔
６  貫通孔
Ｃ  コンクリート
Ｇ  コンクリート打設空間
Ｐ  パネル
Ｑ  桟木
Ｒ  支持シャフト
Ｓ  セパレーター
Ｔ  耐圧ロッド
【図１】
0003223743.tif 000003
【図２】
0003223743.tif 000004
【図３】
0003223743.tif 000005
【図４】
0003223743.tif 000006
【図５】
0003223743.tif 000007
【図６】
0003223743.tif 000008
【図７】
0003223743.tif 000009
【図８】
0003223743.tif 000010
【図９】
0003223743.tif 000011
【図１０】
0003223743.tif 000012
【図１１】
0003223743.tif 000013
【手続補正書】
【提出日】令和1年8月27日(2019.8.27)
【手続補正１】
【補正対象書類名】実用新案登録請求の範囲
【補正対象項目名】全文
【補正方法】変更
【補正の内容】
【実用新案登録請求の範囲】
【請求項１】
コンクリート打設用型枠の固定に用いられる型枠用支持部材固定手段の固定具であって、前記コンクリート打設用型枠の外面に固着される基部と、この基部に外方へ向けて同軸状に連設され前記型枠用支持部材固定手段が螺着される連結部とを備えていることを特徴とする型枠用支持部材固定手段の固定具。
【請求項２】
前記基部が、先端形状が鋭利となされたビス形状となされていることを特徴とする請求項１に記載の型枠用支持部材固定手段の固定具。
【請求項３】
前記連結部の外方端面に、非真円形状の凹部が形成されていることを特徴とする請求項１または請求項２に記載の型枠用支持部材固定手段の固定具。
【請求項４】
複数の型枠構成体を並列状に付き合わせて構成されるコンクリート打設用型枠であって、前記型枠構成体の外面に、請求項１ないし請求項３の何れかに記載の固定具を固着し、前記複数の型枠構成体の全てを跨ぐように押圧部材を配置し、この押圧部材を、前記固定具に螺着される型枠用支持部材固定手段によって前記複数の型枠構成体に圧接させることにより、これらの型枠構成体を一体化してなることを特徴とするコンクリート打設用型枠。
【手続補正２】
【補正対象書類名】明細書
【補正対象項目名】全文
【補正方法】変更
【補正の内容】
【考案の詳細な説明】
【技術分野】
【０００１】
本考案は、コンクリート打設用型枠を組み上げる際に用いられる型枠用支持部材固定手段を前記コンクリート打設用型枠に装着するための固定具およびこの固定具を用いて構成されたコンクリート打設用型枠に関する。
【背景技術】
【０００２】
一般に、コンクリートを打設する際には、複数の型枠によってコンクリートの打設空間を形成し、この打設空間内にコンクリートを打設する。
【０００３】
ところで、前述したように型枠内にコンクリートを打設する際には、コンクリート製品の寸法精度を確保するために、複数の型枠間の位置関係を保持する必要があり、また、コンクリートの重量や打設時の圧力によって、型枠が膨らんでしまうことを防止する必要がある。
【０００４】
このような要望に対処すべく従来では、たとえば、特許文献１に示される技術が用いられている。
【０００５】
この技術は、コンクリート製の壁を形成する例について示したもので、対向する一対の型枠間にスペーサーを介装して、両型枠間の距離を形成すべき壁の厚み保持するようにしている。
【０００６】
また、前記スペーサーの両端部を、それぞれの型枠を貫通させて外部へ突出させておくとともに、それぞれの型枠の外面に鋼管等からなる支持部材を配置し、この支持部材を、前記スペーサーの突出端に取り付けられる型枠用支持部材固定手段によってそれぞれの型枠の外面に圧接させるようにしている。
【０００７】
そして、前記支持部材により、両型枠間に打設されるコンクリートの重量や、このコンクリートの打設時の圧力を支持して、両型枠の膨らみを防止するようにしている。
【先行技術文献】
【特許文献】
【０００８】
【特許文献１】特開２０１１−６５８１４号公報
【考案の概要】
【考案が解決しようとする課題】
【０００９】
ところで、コンクリートの打設後は前記型枠を取り外さなければならない。
この脱型作業は、型枠用支持部材固定手段をセパレーターから取り外した後に、支持部材を取り除き、ついで、型枠を打設された壁から取り外す手順で行なわれる。
【００１０】
一方、打設する壁面積が広い場合、その壁面積を確保するために、前記型枠を複数の型枠構成体に分割しておき、これらの型枠構成体を並列的に付き合わせて大きな型枠を構成することが行なわれている。
【００１１】
このように、複数の型枠構成体を用いて型枠を構成した場合、型枠を組み上げる際においては、型枠構成体を個々にセパレーターによって連結した後に前記支持部材や型枠用支持部材固定手段によって固定する作業が必要となる。
【００１２】
また、解体時には、支持部材や型枠用支持部材固定手段を取り外した状態において、複数の型枠構成体の連結状態が解除されることにより、個々に取り外すこととなる。
すなわち、脱型時には、型枠が型枠構成体単位でバラバラの状態となされる。
【００１３】
したがって、型枠を組み上げる際には、その施工現場に複数の型枠構成体を搬入し、これらの型枠構成体を一つ一つ組み上げ、かつ、脱型時には、型枠構成体を一つ一つ脱型して搬出するという作業を行なわなければならない。
【００１４】
このような作業は組み立てや脱型に要する時間を長引かせるばかりでなく、その搬入や搬出に要する時間も長くなり、したがって、施工期間の長期化を招いてしまう。
【００１５】
特に、打設する壁面積が広い場合、使用する型枠構成体の数が増えることから、この型枠構成体を分けて搬入や搬出を行なわなければならず、前述した不具合が助長される。
【００１６】
本考案は、前述した従来の問題点に鑑みてなされたもので、複数の型枠構成体を用いて構成された型枠を、少なくとも型枠を脱型する際に、型枠構成体を個々に切り離すことなく一体化した状態で取り扱うことを可能にする型枠用支持部材固定手段の固定具およびこの固定具を用いて構成されたコンクリート打設用型枠を提供することを解決すべき課題とする。
【課題を解決するための手段】
【００１７】
本考案の型枠用支持部材固定手段の固定具は、前述した課題を解決するために、コンクリート打設用型枠の固定に用いられる型枠用支持部材固定手段の固定具であって、前記コンクリート打設用型枠の外面に固着される基部と、この基部に外方へ向けて同軸状に連設され前記型枠用支持部材固定手段が螺着される連結部とを備えていることを特徴としている。
【００１８】
前記固定具はその基部により型枠外面に固定される。
前記型枠用支持部材固定手段は、固定具の連結部に螺着されることにより、この固定具を介して型枠に固定される。
【００１９】
そして、前記型枠外面に変形防止用の支持部材を、前記型枠用支持部材固定手段によって圧接させる際に、型枠用支持部材固定手段が固定具を介して型枠に固定されていることから、この支持部材も型枠に固定される。
【００２０】
ここで、前記型枠を複数の型枠構成体によって構成した場合、これらの型枠構成体のそれぞれに固定具を介して型枠用支持部材固定手段を固定しておくことにより、これらの型枠構成体を跨いで配置される支持部材を、全ての型枠構成体に圧接させた状態で固定することができる。
【００２１】
したがって、複数の型枠構成体を、支持部材を介して一体化して全体として型枠を構成した状態に保持することができる。
【００２２】
そして、前記固定具は、型枠の間隔を保持するためのスペーサーから独立して型枠に取り付けられる。
【００２３】
したがって、型枠の組み立てに際して、複数の型枠構成体を、固定具、型枠用支持部材固定手段、および、支持部材によって連結固定することにより、大きな型枠を予め製作しておき、この型枠の複数を施工現場に搬入した後に、スペーサーを用いて組み上げることができる。
【００２４】
また、型枠の脱型時には、型枠をスペーサーから切り離すことにより、型枠の大きな形状を維持した状態で脱型するとともに、搬出することができる。
【００２５】
このように、複数の型枠構成体を用いて型枠を構成した場合に、複数の型枠構成体を型枠の形状に一体化した状態で取り扱うことができる。
これによって、複数の型枠構成体をバラバラにすることなく搬入搬出を行なうことができるとともに、複数の型枠構成体を一括して取り扱うことができるので、施工期間を大幅に短縮することができる。
【００２６】
そして、前記基部を、先端形状が鋭利となされたビス形状とすることにより、型枠へねじ込むようにして固定することができ、固定作業を簡便なものとすることができる。
【００２７】
また、前記連結部の外方端面に、非真円形状の凹部、たとえば、６画穴を形成しておくこともできる。
このような構成とすることにより、前記凹部に治具を嵌合させて固定具を軸線周りに回動させることができ、固定具の脱着を容易にすることができる。
【考案の効果】
【００２８】
本考案の型枠用支持部材固定手段の固定具によれば、複数の型枠構成体を用いて構成された型枠を、少なくとも型枠を脱型する際に、型枠構成体を個々に切り離すことなく一体化した状態で取り扱うことを可能にする。
【図面の簡単な説明】
【００２９】
【図１】本考案の一実施形態が適用された型枠構成体の正面図である。
【図２】本考案の一実施形態を示すもので、（ａ）は正面図、（ｂ）は（ａ）の右側面図である。
【図３】本考案の一実施形態が適用された型枠構成体の要部の縦断面図と、取り付けられる型枠用支持部材固定手段の分解図である。
【図４】本考案の一実施形態の固定具によって、複数の型枠構成体が連結された状態の一部を示す正面図である。
【図５】図４のV―V線断面図である。
【図６】本考案の一実施形態の固定具が用いられ、複数の型枠構成体が連結されて構成された型枠の一部を示す正面図である。
【図７】図６のVII―VII線断面図である。
【図８】本考案の一実施形態を示すもので、図７のように組み上げられた型枠内にコンクリートを打設した状態を示す要部の縦断面図である。
【図９】本考案の一実施形態を示すもので、型枠の脱型手順を示す要部の縦断面図である。
【図１０】本考案の一実施形態を示すもので、型枠の脱型手順を示す要部の縦断面図である。
【図１１】本考案の一実施形態を示すもので、組み上げられた型枠を搬出入する状態を示す概略図である。
【考案を実施するための形態】
【００３０】
以下、本考案の一実施形態を、図面を参照して説明する。
本実施形態は、型枠１を複数の型枠構成体１ａによって構成する際に適用した例を示した。
【００３１】
本実施形態の型枠用支持部材固定手段の固定具は、図２（ａ）（ｂ）に符号２で示すように、型枠構成体１ａに固着される基部２ａと、この基部２ａに連設され後述する型枠用支持部材固定手段３が螺着される連結部２ｂとによって構成されている。
【００３２】
前記基部２ａは、先端形状が鋭利となされたビス形状となされ、この基部２ａが型枠構成体１ａに螺着された際に、この型枠構成体１ａから突出させられる部分が前記連結部２ｂとなされている。
また、連結部２ｂの外方端面には、非真円形状の凹部、本実施形態では６角穴２ｃが形成されている。
【００３３】
一方、前記型枠構成体１ａは、長方形のパネルＰと、このパネルＰの表面の両長辺に沿って固着された桟木Ｑとによって構成され、前記パネルＰの幅方向中間部には、後述するセパレーターＳの支持シャフトＲが挿通される貫通孔４が長辺方向に間隔をおいて複数形成されている。
【００３４】
そして、前記それぞれの桟木Ｑの両端部近傍に、本実施形態の固定具２が、その基部２ａをねじ込むことによって固着されている。
【００３５】
この固定具２の固着は、前記連結部２ｂに形成されている６角穴２ｃに六角レンチを差し込んで回転させることによって行なわれる。
【００３６】
前記連結部２ｂに連結される型枠用支持部材固定手段３は、図３に示すように、固定具２の連結部２ｂに螺着され、複数の係止孔５が形成された支持ロッド３ａと、この支持ロッド３ａが挿通させられる貫通孔６を備えたクランプ３ｂと、支持ロッド３ａの係止孔５に係合させられて、支持ロッド３ａに嵌合させられたクランプ３ｂを固定具２側へ押圧して固定するロックピン３ｃとによって構成されている。
【００３７】
ついで、本実施形態の固定具２を用いて型枠１を組み上げる手順について、図３ないし図５を参照して説明する。
【００３８】
まず、図３に示すように、固定具２を、それぞれの型枠構成体１ａの桟木Ｑにねじ込んで固着し、この固定具２の連結部２ｂに型枠用支持部材固定手段３の支持ロッド３ａを螺着しておく。
【００３９】
ついで、前記型枠構成体１ａのパネルＰの表面に、その長辺に沿うように鋼管等からなる押圧部材としての耐圧ロッドＴを配置する。
【００４０】
さらに、複数の型枠構成体１ａの桟木Ｑ、および。先に配置した耐圧ロッドＴを横切るように、型枠構成体１ａの短辺方向に沿って他の耐圧ロッドＴを、前記支持ロッド３ａの上下に間隔をおいて配置する。
【００４１】
これより、前記支持ロッド３ａにクランプ３ｂを嵌挿させて前記短辺方向の耐圧ロッドＴに当接させた後に、前記クランプ３ｂを貫通した支持ロッド３ａの端部において、この支持ロッド３ａに形成されている係止孔５にロックピン３ｃを差し込む。
【００４２】
このロックピン３ｃは、支持ロッド３ａを支持体としてクランプ３ｂを型枠構成体１ａ側へ押圧する。
これに伴い、図５に示すように、クランプ３ｃによって短辺方向に配置されている耐圧ロッドＴを長辺方向に配置されている耐圧ロッドＴに当接させるとともに、この長辺方向の耐圧ロッドＴを型枠構成体１ａのパネルＰの外面に圧接固定する。
【００４３】
この結果、前記複数の型枠構成体１ａが、短辺方向の耐圧ロッドＴ、型枠用支持部材固定手段３、および、固定具２によって同一面状で一体化されて、図４に示すように、型枠１に組み上げられる。
【００４４】
このように組み上げられた型枠１は、その一対を一組として、図６に示すように、それぞれのパネルＰどうしが向き合うように対向配置された後に、多数のセパレーターＳによって所定の間隔をおいて連結される。
【００４５】
ここで、前記セパレーターＳの支持シャフトＲの両端部は、型枠構成体１ａのパネルＰに形成されている貫通孔４を介して外面側に突出させられており、それぞれの端部に型枠用支持部材固定手段３が装着されている。
【００４６】
そして、セパレーターＳに装着された型枠用支持部材固定手段３によって、図６および図７に示すように、短辺方向の耐圧ロッドＴが保持されるとともに、これらの耐圧ロッドＴが長辺方向に沿った耐圧ロッドＴをパネルＰの外面に圧接させる。
【００４７】
これによって、それぞれの型枠１において、複数の型枠構成体１ａが、長辺方向および短辺方向の耐圧ロッドＴによって強固に平面状に連結されて、両型枠１間に、図７に示すように、コンクリート打設空間Ｇが形成される。
【００４８】
この打設空間Ｇに、図８に示すようにコンクリートＣが打設されて、たとえば、壁が形成される。
なお、図７および図８において、符号Ｄは、前記コンクリート打設空間Ｇ内に配設された鉄筋を示す。
【００４９】
一方、前記型枠１の脱型は、前述した組み立て手順と逆の手順によって行なわれる。
【００５０】
まず、図９の右側に示すように、セパレーターＳに装着されている型枠用支持部材固定手段３を、ロックピン３ｃ、クランプ３ｂ、支持ロッド３ａの順で取り外し、短辺方向の耐圧ロッドＴへの拘束力を解除するとともに、これらの耐圧ロッドＴを取り外す。
【００５１】
この作業により、型枠１は、図４および図５に示す状態と同様に、固定具２および型枠用支持部材固定手段３によって保持された長辺方向および短辺方向の耐圧ロッドＴによって全体としての形状が保持される。
また、型枠１は、打設されたコンクリートＣ内に残されているセパレーターＳから切り離されている。
【００５２】
これより、型枠１を、図１０の右側に示すように、打設されたコンクリートＣから取り外すことにより型枠１の脱型が行なわれる。
【００５３】
このよう脱型時において、前述したように、型枠１が、図４および図５に示す状態と同様に、固定具２および型枠用支持部材固定手段３によって保持された長辺方向および短辺方向の耐圧ロッドＴによって全体としての形状が保持されていることにより、型枠１毎に脱型が行なわれる。
【００５４】
したがって、型枠１を構成する複数の型枠構成体１ａをばらすことなく、型枠１の脱型作業、ならびに、搬出作業を行なうことができる。
【００５５】
このように、本考案の固定具２を用いて型枠１を形成すると、特に、型枠１を複数の型枠構成体１ａによって構成する場合、打設位置以外の場所で予め大型の型枠１に組み上げておき、この組み上げられた大型の型枠１を、図１１に示すように、クレーン等によって打設位置へ搬送して組み上げ、また、打設後にその形状を保持した状態で搬出することができる。
【００５６】
したがって、複数の型枠構成体１ａや耐圧ロッドＴを、型枠１の施工現場へ小分けして搬入する作業を少なくすることができる。
【００５７】
また、脱型時においては、型枠１を、型枠構成体１ａ毎にばらすことなく脱型および搬出を行なうことができる。
【００５８】
この結果、型枠１の組み立て作業や脱型作業を簡便なものとして、コンクリート成形物の施工期間を大幅に短縮することができる。
【００５９】
なお、前記実施形態において示した各構成部材等の諸形状や寸法等は一例であって、設計要求等に基づき種々変更可能である。
【００６０】
たとえば、前記実施形態においては、固定具２の連結部２ｂに６角穴２ｃを設けて、固定具２のねじ込みを行なわせる例について示したが、その形状は非真円形状の凹部であればよい。
【００６１】
また、凹部ではなく、連結２ｂの外面を多角形や非真円形状とすることも可能である。
【００６２】
前記実施形態においては、固定具２を型枠構成体１ａの長さ方向の両端部近傍に取り付ける例を示したが、図６に示すように、セパレーターＳ装着用の貫通孔４のそれぞれに対応するように取り付けることも可能である。
【符号の説明】
【００６３】
１  型枠
１ａ  型枠構成体
２  固定具
２ａ  基部
２ｂ  連結部
２ｃ  ６角穴（非真円形状凹部）
３  型枠用支持部材固定手段
３ａ  支持ロッド
３ｂ  クランプ
３ｃ  ロックピン
４  貫通孔
５  係止孔
６  貫通孔
Ｃ  コンクリート
Ｇ  コンクリート打設空間
Ｐ  パネル
Ｑ  桟木
Ｒ  支持シャフト
Ｓ  セパレーター
Ｔ  耐圧ロッド